(57)【特許請求の範囲】
【請求項１】
シャーシと、そのシャーシに回動自在に設けられ、その回動中心側を後方として、その後方から前方に延設される鍵と、その鍵の回動中心よりも前方であって前記シャーシに設けられる支持軸と、その支持軸を中心に回動自在に設けられ前記鍵の前方が押鍵されるのに伴って前記鍵と連動して回動するハンマとを備えた電子楽器の鍵盤装置において、
前記ハンマを回動可能とするために、前記ハンマに穿設され、前記支持軸を保持する保持孔と、
その保持孔の後方を切り欠いて形成され、前記支持軸を前記保持孔にガイドするガイド溝と、
前記保持孔のガイド溝に前記支持軸を仮止めした仮止め状態から、前記支持軸が前記保持孔に保持される保持状態に移行させるものであって、前記鍵の前方が押鍵されるのに伴って前記仮止め状態にある前記ハンマを、その後方に押圧して前記保持状態に移行させる移行手段とを備えていることを特徴とする電子楽器の鍵盤装置。
【請求項２】
前記移行手段は、
前記鍵から前記ハンマに向けて突設される突起と、
その突起の後方の側面に形成され、前記仮止め状態にある前記ハンマに当接する第１当接部と、
前記ハンマに形成され、前記突起の第１当接部が当接する被第１当接部とを備え、
前記突起の第１当接部と、前記ハンマの被第１当接部との少なくとも一方は、後方から前方に向かって下降傾斜して形成されることを特徴とする請求項１に記載の電子楽器の鍵盤装置。
【請求項３】
前記突起の第１当接部と、前記ハンマの被第１当接部とは、前記ハンマが前記保持状態にある場合に互いに離間していることを特徴とする請求項２に記載の電子楽器の鍵盤装置。
【請求項４】
前記鍵から突設される突起は、前記支持軸よりも前方の位置から突設されており、
その突起の先端部に形成され、前記保持状態にある前記ハンマに当接するとともに、前記仮止め状態にある前記ハンマから離間している第２当接部とを備えていることを特徴とする請求項２又は３に記載の電子楽器の鍵盤装置。
【請求項５】
前記移行手段は、
前記鍵に形成され、前記支持軸よりも前方の位置から前記ハンマに向けて突設される突起と、
その突起の先端部に形成され、前記仮止め状態にある前記ハンマに当接する第３当接部と、
その突起の第３当接部から斜め下前方の位置において前記シャーシに固設されるガイド部材と、
そのガイド部材に形成され前記仮止め状態にある前記ハンマに当接する第４当接部と、
前記ハンマに形成され前記ガイド部材の第４当接部が当接する被第４当接部とを備え、
前記ガイド部材の第４当接部と、前記ハンマの被第４当接部との少なくとも一方は、前方から後方に向かって下降傾斜して形成されることを特徴とする請求項１に記載の電子楽器の鍵盤装置。
【請求項６】
前記突起の第３当接部は、前記仮止め状態にある前記ハンマに当接すると共に、前記保持状態にあるハンマに当接し、
前記ガイド部材の第４当接部と前記ハンマの被第４当接部とは、前記ハンマが仮止め状態にある場合に互いに当接するとともに、前記ハンマが前記保持状態にある場合に互いに離間していることを特徴とする請求項５に記載の電子楽器の鍵盤装置。
【発明の詳細な説明】
【技術分野】
【０００１】
本発明は、電子楽器の鍵盤装置に関し、特に、鍵を押鍵するという簡単な操作でハンマを正しく取付けることができる電子楽器の鍵盤装置に関する。
【背景技術】
【０００２】
従来より、電子ピアノ等の電子楽器が知られている。かかる電子ピアノ等の電子楽器では、鍵の下方にハンマが回動自在に設けられる。ハンマは、鍵が押鍵されると自重に抗して回動するので、鍵が押鍵されると鍵に対して所定の荷重を付与でき、アコースティックなピアノに近似した鍵の操作感を付与できる。
【０００３】
かかるハンマに関し、次の特許文献１には、ハンマー本体２０と、そのハンマー本体２０に一体に形成される軸受部３０とを備えたハンマー３が記載されている。軸受部３０には、その中心に保持孔３０ａが形成されると共に、その保持孔３０ａの後方（鍵２の鍵支持軸１４側）にガイド溝３０ｂが形成されている。鍵盤シャーシ１には支持軸２８が設けられ、その支持軸２８が保持孔３０ａに保持されている。即ち、次の特許文献１には、支持軸２８をガイド溝３０ｂを通して保持孔３０ａに保持させることで、支持軸２８を中心に回動可能に設けられるハンマー３が記載されている。
【先行技術文献】
【特許文献】
【０００４】
【特許文献１】特開２００６−３４９５号公報（段落００２７参照）
【発明の概要】
【発明が解決しようとする課題】
【０００５】
しかしながら、上述した特許文献１のように、支持軸２８をガイド溝３０ｂを通して保持孔３０ａに保持させるには煩雑な作業が必要になるという問題点があった。
【０００６】
即ち、ガイド溝３０ｂは、支持軸２８が保持孔３０ａから抜けないように保持孔３０ａに向けて先細り状に形成されている。そのため、支持軸２８を保持孔３０ａに保持させるには、保持孔３０ａを支持軸２８に向けて押し込む必要がある。しかし、ハンマー３の両側には鍵盤シャーシ１がハンマー３との間に僅かな隙間を空けて立設されており、作業性が悪く、保持孔３０ａを支持軸２８に押し込むのが困難であった。
【０００７】
そこで、支持軸２８を保持孔３０ａに保持させる場合には、支持軸２８をガイド溝３０ｂに仮止めしておき、鍵盤シャーシ１とハンマー３とに専用の治具をセットし、その専用の治具を使って保持孔３０ａを支持軸２８に押し込むことでハンマー３を正しく取付けていた。このように、ハンマー３を正しく取付けるには、支持軸２８をガイド溝３０ｂに仮止めした後で、専用の治具を準備し、セットする必要があり、煩雑な作業が必要になるという問題点があった。
【０００８】
また、かかるハンマー３の取付け作業を、複数のハンマー３について同時に行おうとすると、その分、大きな力が必要となるので、ハンマー３の取付け作業は１つのハンマー３毎に行っていた。そのため、ハンマー３の数が増えるほど、益々作業が煩雑になるという問題点があった。
【０００９】
本発明は、上述した問題点を解決するためになされたものであり、鍵を押鍵するという簡単な操作でハンマを正しく取付けることができる電子楽器の鍵盤装置を提供することを目的とする。
【課題を解決するための手段および発明の効果】
【００１０】
請求項１記載の電子楽器の鍵盤装置によれば、次の効果を奏する。鍵はシャーシに回動自在に設けられ、その回動中心を後方として、その後方から前方に延設される。シャーシには、鍵の回動中心よりも前方に支持軸が設けられる。ハンマは支持軸を中心に回動自在に設けられ、鍵の前方が押鍵されるのに伴って鍵と連動して回動する。ハンマには、ハンマを回動可能にするために支持軸を保持する保持孔と、その保持孔の後方が切り欠かれたガイド溝とが形成される。ここで、保持孔のガイド溝に支持軸を仮止め状態とする。かかる仮止め状態から、移行手段は、支持軸に保持孔が保持される保持状態に移行させる。即ち、移行手段は、鍵の前方が押鍵されるのに伴って仮止め状態にあるハンマを、その後方に押圧して保持状態に移行させる。
【００１１】
よって、例えば、ハンマを仮止め状態にした後、鍵を取付け、その取付けた鍵を押鍵すれば、ハンマが保持状態に移行され、ハンマーを正しく取付けることができる。従って、保持孔に支持軸を保持させるのに専用の治具を使用する必要がなく、鍵を押鍵するという簡単な操作でハンマを正しく取付けることができるという効果がある。
【００１２】
請求項２記載の電子楽器の鍵盤装置によれば、請求項１記載の電子楽器の鍵盤装置が奏する効果に加え、次の効果を奏する。鍵からはハンマに向けて突起が突設される。突起の後方の側面には第１当接部が形成され、その第１当接部が仮止め状態にあるハンマに当接される。ハンマには突起の第１当接部が当接する被第１当接部が形成される。突起の第１当接部とハンマの被第１当接部との少なくとも一方は、後方から前方に向かって下降傾斜して形成される。
【００１３】
よって、ハンマが仮止め状態にある場合に鍵が押鍵されると、突起の第１当接部はハンマの被第１当接部を後方から前方に向かって斜め下方に摺動し、ハンマの被第１当接部は突起の第１当接部によって前方から後方に向かって斜め下方（突起の第１当接部が摺動する方向とは交差する方向）に押圧される。この場合、突起の第１当接部と、ハンマの被第１当接部との少なくとも一方は、後方から前方に向かって下降傾斜して形成されているので、突起の第１当接部がハンマの被第１当接部を押圧する力の向きを、水平方向後ろ向きの成分と、鉛直方向下向きの成分とに変更できる。従って、かかる水平方向後ろ向きの成分によってガイド溝に仮止めされた支持軸を保持孔に押し込み、仮止め状態にあるハンマを保持状態に移行できるという効果がある。
【００１４】
また、鍵を「てこ」に見立て、鍵の回動中心を支点、押鍵される鍵の前方を力点、突起の第１当接部がハンマの被第１当接部を押圧する部分を作用点とした「てこの原理」を利用しているので、小さな力でハンマを仮止め状態から保持状態に移行させることができるという効果がある。
【００１５】
請求項３記載の電子楽器の鍵盤装置によれば、請求項２に記載の電子楽器の鍵盤装置が奏する効果に加え、次の効果を奏する。突起の第１当接部とハンマの被第１当接部とは、ハンマが保持状態にある場合に互いに離間している。よって、ハンマが保持状態にある場合に鍵が押鍵されても、ハンマの被第１当接部は突起の第１当接部によって押圧されない。従って、突起の第１当接部とハンマの被第１当接部とは無関係に、保持状態にあるハンマを円滑に鍵と連動して回動させることができるという効果がある。
【００１６】
請求項４記載の電子楽器の鍵盤装置によれば、請求項２又は３に記載の電子楽器の鍵盤装置が奏する効果に加え、次の効果を奏する。鍵から突設される突起は、支持軸よりも前方の位置から突設されている。その突起の先端部には第２当接部が形成されている。かかる突起の第２当接部は保持状態にあるハンマに当接しているので、ハンマが保持状態にある場合に鍵が操作されると、ハンマは突起の第２当接部を介して鍵と連動して回動される。一方、突起の第２当接部は、仮止め状態にあるハンマから離間しているので、ハンマが仮止め状態にある場合に鍵が押鍵されても、ハンマは突起の第２当接部によって押圧されない。従って、突起の第２当接部とは無関係に、仮止め状態にあるハンマを円滑に保持状態に移行させることができるという効果がある。また、突起には、仮止め状態にあるハンマを保持状態に移行させる機能に加え、保持状態にあるハンマを鍵と連動して回動させる機能がある。よって、部材を共通化でき、鍵盤装置のコストを低減できるという効果がある。
【００１７】
請求項５記載の電子楽器の鍵盤装置によれば、請求項１記載の電子楽器の鍵盤装置が奏する効果に加え、次の効果を奏する。鍵のうち支持軸よりも前方の位置からはハンマに向けて突起が突設されている。その突起の先端部には第３当接部が形成され、その第３当接部が仮止め状態にあるハンマに当接される。また、かかる突起の第３当接部から斜め下前方の位置にはガイド部材がシャーシに固設されている。そのガイド部材には第４当接部が形成され、その第４当接部が仮止め状態にあるハンマに当接される。ハンマにはガイド部材の第４当接部が当接する被第４当接部が形成されている。ガイド部材の第４当接部とハンマの被第４当接部とは、その少なくとも一方が前方から後方に向かって下降傾斜して形成されている。
【００１８】
よって、ハンマが仮止め状態にある場合に鍵が押鍵されると、ハンマは、突起の第３当接部によって下方に押圧される。そうすると、ハンマの被第４当接部は、ガイド部材の第４当接部を前方から後方に向かって斜め下方に摺動し、ガイド部材の第４当接部から前方から後方に向かって斜め上方（ハンマの被第４当接部が摺動する方向とは交差する方向）に押圧される。即ち、ハンマは、突起の第３当接部によって下方に押圧される力と、ガイド部材の第４当接部によって押圧される力との合力によって押圧される。
【００１９】
ここで、ガイド部材の第４当接部とハンマの被第４当接部とは、その少なくとも一方が前方から後方に向かって下降傾斜して形成されているので、ガイド部材の第４当接部がハンマの被第４当接部を押圧する力の向きを、水平方向後ろ向きの成分と、鉛直方向上向きの成分とに変更できる。また、突起の第３当接部はハンマをほぼ下方に押圧するので、かかる突起の第３当接部がハンマをほぼ下方に押圧する力は、ガイド部材の第４当接部によって押圧される力の鉛直方向上向きの成分にほぼ等しい。よって、突起の第３当接部によって下方に押圧される力と、ガイド部材の第４当接部によって押圧される力との合力は、ガイド部材の第４当接部によって押圧される力の水平方向後ろ方向きの成分にほぼ等しい。従って、かかる水平方向後ろ向きの成分によってガイド溝に仮止めされた支持軸を保持孔に押し込み、仮止め状態にあるハンマを保持状態に移行できるという効果がある。
【００２０】
また、鍵を「てこ」に見立て、鍵の回動中心を支点、押鍵される鍵の前方を力点、突起の第３当接部とガイド部材の第４当接部とがハンマを押圧する部分を作用点とした「てこの原理」を利用しているので、小さな力でハンマを仮止め状態から保持状態に移行させることができるという効果がある。
【００２１】
請求項６記載の電子楽器の鍵盤装置によれば、請求項５に記載の電子楽器の鍵盤装置が奏する効果に加え、次の効果を奏する。突起の第３当接部は、仮止め状態にあるハンマに当接すると共に、保持状態にあるハンマに当接する。また、ガイド部材の第４当接部とハンマの被第４当接部とは、ハンマが仮止め状態にある場合に互いに当接するとともに、ハンマが前記保持状態にある場合に互いに離間している。よって、ハンマが保持状態にある場合に鍵が操作されると、ハンマは突起の第３当接部を介して鍵と連動して回動するが、この場合、ハンマの被第４当接部はガイド部材の第４当接部によって押圧されない。即ち、ガイド部材の第４当接部とハンマの被第４当接部とは無関係に、保持状態にあるハンマを円滑に鍵と連動して回動させることができるという効果がある。また、突起には、仮止め状態にあるハンマを保持状態に移行させる機能に加え、保持状態にあるハンマを鍵と連動して回動させる機能がある。よって、部材を共通化でき、鍵盤装置のコストを低減できるという効果がある。
【図面の簡単な説明】
【００２２】
【図１】（ａ）は、第１実施形態の鍵盤装置の断面図であり、特に、ハンマが保持状態にある場合を示している。（ｂ）は、図１（ａ）に示す第１実施形態の鍵盤装置が押鍵された状態を示す断面図である。
【図２】（ａ）は、図１（ａ）のＩＩａ部分の拡大断面図である。（ｂ）は、図２（ａ）のＩＩｂ−ＩＩｂ断面線における断面図である。
【図３】（ａ）は、第１実施形態の鍵盤装置の断面図であり、特に、ハンマが仮止め状態にある場合を示している。（ｂ）は、図３（ｂ）の要部拡大断面図である。
【図４】（ａ）は、第２実施形態の鍵盤装置の断面図であり、特に、ハンマが仮止め状態にある場合を示している。（ｂ）は、図４（ａ）に示す第２実施形態の鍵盤装置が押鍵された状態を示す断面図である。
【図５】（ａ）は、第２実施形態の鍵盤装置の断面図であり、特に、ハンマが仮止め状態にある場合を示している。（ｂ）は、図５（ｂ）の要部拡大断面図である。
【発明を実施するための形態】
【００２３】
以下、本発明の好ましい実施形態について、添付図面を参照して説明する。図１（ａ）は、第１実施形態の鍵盤装置１の断面図であって、特に、ハンマ５が保持状態にある場合を示している。図１（ｂ）は、図１（ａ）に示す鍵盤装置１が押鍵された状態を示す断面図である。尚、ハンマ５が保持状態にある場合とは、ハンマ５の軸受５１にハンマ支持軸２３が保持（軸支）されている状態をいう。また、本実施形態では、鍵３の長手方向において、鍵３の回動中心となる鍵支持軸２４側を後方、その反対側を前方とする。
【００２４】
鍵盤装置１は、電子楽器に搭載され、鍵３の操作に応じた信号を出力するものであり、特に、鍵３を押鍵するという簡単な操作でハンマ５を正しく取付けることができるものである。尚、鍵盤装置１が搭載される電子楽器としては、例えば、電子ピアノ、電子オルガン、電子キーボード、シンセサイザなどが例示される。
【００２５】
鍵盤装置１は、主に、シャーシ２と、そのシャーシ２から突設される鍵支持軸２４を中心に回動可能に設けられる鍵３と、その鍵３に連動してハンマ支持軸２３を中心に回動可能に設けられるハンマ５とよって構成される。
【００２６】
シャーシ２は、鍵盤装置１の骨格を形成するものであり、樹脂材料によって形成されている。シャーシ２は、複数の鍵３（図示せず）が並設される方向（以下、幅方向と称す）に所定幅のブロック単位で形成されている。各ブロックは、シャーシ本体２０と、シャーシ本体２０の上方に形成されるシャーシ上壁２１と、シャーシ本体２０の底方に形成されるシャーシ底壁２２ａ〜２２ｃとによって構成されている。
【００２７】
シャーシ本体２０は、鍵３の下方において前後方向に延設され、幅方向にハンマ５を挟んで複数並設されている。シャーシ上壁２１は、鍵３の後方においてシャーシ本体２０に連結されている。シャーシ上壁２１には、鍵支持軸２４と、後方ガイド２５とが前後方向に並んで設けられている。
【００２８】
鍵支持軸２４は、鍵３の回動中心となるものであり鍵３毎に設けられる。鍵３は、上壁３２と、上壁３２の前後方向に延びる両縁から垂下する一対の側壁３３と、上壁３２の前端から垂下する前壁３４とによって下方が開放された断面略コ字状に形成される。側壁３３の後端には、フック３５が連設され、かかるフック３５に鍵支持軸２４が引っ掛けられている。これにより、鍵３は、鍵支持軸２４を中心に回動可能に設けられる。
【００２９】
後方ガイド２５は、鍵３のがたつきを抑制するものであり鍵３毎に設けられる。後方ガイド２５は、シャーシ上壁２１から立設し、鍵３の上壁３２に穿設される貫通穴３２ａを貫通しているので、鍵３がたつくのを抑制できる。
【００３０】
シャーシ底壁２２ａ〜２２ｃは、幅方向に隣合うシャーシ本体２０に橋架されている。シャーシ本体２０は、シャーシ底壁２２ａ〜２２ｃによって剛性が高められている。シャーシ底壁２２ａ〜２２ｃには、その下方に断面視コの字型に形成された金属製のベース部材７〜９が固定されている。シャーシ２は、ベース部材７〜９によって剛性が高められている。シャーシ底壁２２ｃの上方には、金属製の金物１０が固定されている。
【００３１】
金物１０の前方には、前方ガイド１１が立設されている。前方ガイド１１は、鍵３の下方から、鍵３の一対の側壁３３の間に延びているので、鍵３が幅方向にがたつくのを抑制できる。また、前方ガイド１１は、ゴムやエラストマーなどの弾性部材からなるカバー１２で被覆されているので、鍵３の側壁３３と前方ガイド１１とが衝突した際の衝撃を緩衝できる。尚、カバー１２の外周面には、グリスなどの潤滑油が塗布され、鍵３との間で摺動し易くなっている。
【００３２】
鍵３は、シャーシ本体２０の上方に配設され、樹脂材料で形成されている。鍵３の前後方向の略中央部（ハンマ支持軸２３よりも前方）には、略尖形形状の突起３６がハンマ５に向けて突設されている。突起３６は、その先端がハンマ５に当接している。鍵３は、離鍵時には（図１（ａ）参照）、突起３６を介してハンマ５によって上方に持ち上げられており、押鍵時には（図１（ｂ）参照）、突起３６を介してハンマ５を下方に押圧できる。
【００３３】
ハンマ５は、アコースティックピアノに近似したタッチ重さを鍵３に付与するものである。ハンマ５は、鍵３の下方に設けられ、樹脂材料内に金属部材がインサート成形された構造で構成されている。ハンマ５は、ハンマ支持軸２３よりも後方が前方よりも重く構成されている。
【００３４】
ハンマ５は、主に、前後方向に延設されるハンマ本体５０と、そのハンマ本体５０の途中にハンマ本体５０と一体形成される軸受５１とによって構成されている。ハンマ本体５０には、突起３６の先端部が挿入される凹部５２が凹設され、その凹部５２の下方の外周面からはスイッチ突起５３が突設されている。スイッチ突起５３と対向する位置には、スイッチ１４が基板を介してシャーシ本体２０に固設されている。スイッチ１４は、スイッチ突起５３を介して鍵３の操作に関する情報（押鍵操作、押鍵速度など）を検出するものである。
【００３５】
軸受５１は、ハンマ支持軸２３を保持（軸支）するものである。ハンマ支持軸２３は、シャーシ本体２０のサブシャーシ２０ａから突設されている。ハンマ支持軸２３が軸受５１に保持されることで、ハンマ５はハンマ支持軸２３を中心に回動可能に設けられる。
【００３６】
ハンマ５は、このように構成されるので、押鍵されると（図１（ａ）→図１（ｂ））、自重に抗してハンマ支持軸２３を中心に反時計回りに回動し、鍵３に対してタッチ重さを付与できる。また、スイッチ突起５３によってスイッチ１４をＯＮでき、スイッチ１４によって押鍵操作、押鍵速度が検出される。
【００３７】
一方、ハンマ５は、離鍵されると（図１（ｂ）→図１（ａ））、自重によってハンマ支持軸２３を中心に時計回りに回動し、突起３６を介して鍵３を上方に持ち上げ、鍵３を初期位置に復帰させることができる。また、スイッチ突起５３によってスイッチ１４をＯＦＦでき、スイッチ１４によって離鍵操作などが検出される。
【００３８】
次に、図２を参照して、上述した鍵３の突起３６と、ハンマ５の凹部５２と、ハンマ５の軸受５１とについて詳細に説明する。図２（ａ）は、図１（ａ）のＩＩａ部分の拡大断面図である。図２（ｂ）は、図２（ａ）のＩＩｂ−ＩＩｂ断面線における断面図である。尚、図２（ａ）では、押鍵された場合における鍵３と、ハンマ５とを２点鎖線で示している。
【００３９】
鍵３の突起３６は、その先端部がハンマ５の凹部５２に挿入されている。ハンマ５の凹部５２は、突起３６の先端３６ａが当接し、ほぼ水平に延設される底面５２ａと、その底面５２ａの前方から上方に延設される第１側面５２ｂと、その底面５２ａの後方から上方に延設される第２側面５２ｃとに囲まれて形成される。
【００４０】
突起３６の先端３６ａは、離鍵時には（図２（ａ）の実線参照）、凹部５２の底面５２ａの略中央に当接している。突起３６の先端３６ａは、押鍵されると（図２（ａ）の実線→２点鎖線参照）、凹部５２の底面５２ａを後方（凹部５２の第２側面５２ｃ側）に向かって摺動しつつ、ハンマ５を、ほぼ下方に押圧する。これにより、ハンマ５がハンマ支持軸２３を中心に反時計回りに回動する。離鍵されると（図２（ａ）の２点鎖線→実線参照）、ハンマ５が、ハンマ支持軸２３を中心に時計回りに回動し、突起３６の先端３６ａは、凹部５２の第１側面５２ｂ側に向かって摺動し、凹部５２の底面５２ａの略中央に移動される。
【００４１】
このように、ハンマ５が保持状態にある場合、突起３６の側面３６ｂ（突起３６の後方の側面）と、凹部５２の第２側面５２ｃとは、押鍵時（図２（ａ）の２点鎖線）にも、離鍵時（図２（ａ）の実線）にも、互いに離間する位置に形成されている。即ち、突起３６は、その先端部が凹部５２に挿入されているが、ハンマ５が保持状態にある場合には、突起３６の側面３６ｂと、凹部５２の第２側面５２ｃとは鍵３の操作に拘わらず互いに干渉せず、ハンマ５の回動動作を円滑にできる。
【００４２】
軸受５１は、断面視Ｃ字状に形成されている。軸受５１には、保持孔５１ａと、ガイド溝５１ｃとが形成されている。保持孔５１ａは、軸受５１の中央に穿設され、この保持孔５１ａにハンマ支持軸２３が保持される。この保持孔５１ａにハンマ支持軸２３が保持されている状態が保持状態である。
【００４３】
ガイド溝５１ｃは、ハンマ支持軸２３を保持孔５１ａにガイドするものであり、保持孔５１ａの後方を切り欠いて形成される。ガイド溝５１ｃは、その後方から保持孔５１ａに向けて先細り状に形成され、その最小幅はハンマ支持軸２３の直径よりも小さく形成されている。そのため、保持孔５１ａに保持されているハンマ支持軸２３が保持孔５１ａから抜けるのを防止できる。換言すれば、ハンマ支持軸２３をガイド溝５１ｃ仮止めできる。詳細は後述するが、製造時には、ハンマ支持軸２３をガイド溝５１ｃに仮止めし、その仮止め状態で鍵３を取付け、その鍵３を押鍵することで、ハンマ５を仮止め状態から保持状態に移行させることができる。また、支持軸２３が仮止め状態に維持されるようガイド溝５１ｃの後方には下に下がる傾斜面５１ｄが設けられている。この傾斜面５１ｄによって支持軸２３が仮止め位置から大きく逸脱することを防止できる。
【００４４】
また、ガイド溝５１ｃは、パーティングラインＰＬと対向する範囲内で回動可能に形成されている。パーティングラインＰＬは、サブシャーシ２０ａを射出成型した場合に、その型の合わせ目部分に形成される。パーティングラインＰＬは、ハンマ支持軸２３の中心と同等の高さで前後方向に形成される。パーティングラインＰＬは、図２（ｂ）に示す通り、サブシャーシ２０ａの内面から若干突出しており、所によっては、更に突出量が大きいバリが発生し易い。
【００４５】
ガイド溝５１ｃは、離鍵時には（図２（ａ）の実線参照）、パーティングラインＰＬに対し、若干、斜め下後方に傾いており、押鍵時には（図２（ａ）の２点鎖線参照）、パーティングラインＰＬとほぼ平行に前後方向に延びている。つまり、ガイド溝５１ｃは、パーティングラインＰＬと対向する範囲内で回動可能に形成されている。そのため、ハンマ５（軸受５１）がハンマ支持軸２３を中心に回動しても、パーティングラインＰＬがハンマ５（軸受５１）に当たってハンマ５の回動動作が阻害されるのを極力抑制できる。
【００４６】
図３（ａ）は、鍵盤装置１の断面図であり、特に、ハンマ５が仮止め状態にある場合を示している。図３（ｂ）は、図３（ａ）の要部拡大断面図である。尚、図３では、仮止め状態にあるハンマ５（実線参照）に対して、押鍵された鍵３と、その押鍵操作によって仮止め状態から保持状態に移行したハンマ５とを２点鎖線で示している。
【００４７】
ハンマ５が仮止め状態にある場合とは、ハンマ支持軸２３がガイド溝５１ｃに仮止めされている状態をいう。上述した通り、ガイド溝５１ｃは、その後方から保持孔５１ａに向けて先細り状に形成され、その最小幅はハンマ支持軸２３の直径よりも小さく形成されている。よって、ハンマ５が仮止め状態にある場合とは、具体的には、ハンマ支持軸２３の中心が、ガイド溝５１ｃの最小幅の部分（ガイド溝５１ｃの前方端部）よりも後方において、ガイド溝５１ｃの途中に仮止め（圧入）されている状態をいう。
【００４８】
鍵盤装置１の製造工程では、保持孔５１ａよりもガイド溝５１ｃを後方に向け、ガイド溝５１ｃがパーティングラインＰＬとほぼ平行となるように（ガイド溝５１ｃがほぼ前後方向に延びるように）、ガイド溝５１ｃにハンマ支持軸２３を仮止めする。そして、その仮止め状態のまま、鍵３が取付られる。図３は、その状態（実線参照）を示している。
【００４９】
鍵盤装置１は、ハンマ５が仮止め状態にある場合に、その仮止め状態から保持状態に移行させるべく、突起３６と、ハンマ５とに互いに当接す部分が形成されている。即ち、突起３６には、ハンマ側当接部Ｂに当接する突起側当接部Ａが形成され、ハンマ５には、突起側当接部Ａに当接されるハンマ側当接部Ｂが形成されている。
【００５０】
具体的には、図３（ｂ）に示す通り、突起３６の側面３６ｂには、その下方部分に突起側当接部Ａが形成され、凹部５２の第２側面５２ｃには、その上方部分にハンマ側当接部Ｂが形成されている。また、突起側当接部Ａと、ハンマ側当接部Ｂとは、斜め下前方に傾斜して形成されている。その傾斜角度は、鉛直方向に対して約２２度に形成されている。
【００５１】
そのため、ハンマ５が仮止め状態にある場合に、鍵３の前方が力Ｆで押鍵されると（図３（ａ）の矢印Ｆ参照）、突起側当接部Ａは、ハンマ側当接部Ｂを斜め下前方に摺動し、ハンマ側当接部Ｂは、突起側当接部Ａによって斜め下後方に力Ｆ１で押圧される（図３（ｂ）の矢印Ｆ１参照）。この場合、突起側当接部Ａと、ハンマ側当接部Ｂとは、斜め下前方に傾斜して形成されているので、かかる力Ｆ１の向きを、水平方向後ろ向きの成分である力Ｆ１ｈ（図３（ｂ）の矢印Ｆ１ｈ参照）と、鉛直方向下向きの成分である力Ｆ１ｖ（図３（ｂ）の矢印Ｆ１ｖ参照）とに変更できる。即ち、仮止め状態にあるハンマ５を、力Ｆ１の水平方向後ろ向きの成分である力Ｆ１ｈによって後方に押圧できる。
【００５２】
こうして、ハンマ５が後方に押圧され、ハンマ支持軸２３の中心が、ガイド溝５１ｃの最小幅の部分（ガイド溝５１ｃの前方端部）よりも前方の位置まで押圧されると、それまでハンマ支持軸２３を仮止めしていた軸受５１（ガイド溝５１ｃ）の圧力が減少するので、ハンマ５は後方に跳ね飛ばされ（ハンマ側当接部Ｂが突起側当接部Ａから離れ）、ハンマ支持軸２３が保持孔５０ａに保持される（嵌め込まれる）。
【００５３】
即ち、突起側当接部Ａは、ハンマ支持軸２３の中心が、ガイド溝５１ｃの最小幅の部分（ガイド溝５１ｃの前方端部）よりも前方に位置するまで、ハンマ側当接部Ｂに当接してハンマ５を後方に押圧し、それ以降はハンマ側当接部Ｂから離間することになる。一方、ハンマ５が仮止め状態にある場合、突起３６の先端３６ａと凹部５２の底面５２ａとは、突起側当接部Ａがハンマ側当接部Ｂに当接している関係上、互いに離間している。しかし、突起側当接部Ａがハンマ側当接部Ｂから離間すると（ハンマ支持軸２３が保持孔５０ａに保持されると）、突起３６の先端３６ａと凹部５２の底面５２ａとが当接することになる。
【００５４】
このように、仮止め状態にあるハンマ５は（図３の実線参照）、鍵３が押鍵されるのに伴って突起側当接部Ａとハンマ側当接部Ｂとによって保持状態（図３の２点鎖線参照）に移行され、その後、その保持状態にあるハンマ５は、突起３６を介して鍵３と連動して回動されることになる。
【００５５】
よって、鍵盤装置１の製造工程において、ハンマ５を仮止め状態にした後、鍵３を取付け、その取付けた鍵３を押鍵すれば、仮止め状態にあるハンマ５が保持状態に移行され、ハンマ５を正しく取付けることができる。従って、保持孔５０ａにハンマ支持軸２３を保持させるのに、専用の治具を使用せずに、鍵３を押鍵するという簡単な操作でハンマ５を正しく取付けることができる。
【００５６】
また、鍵盤装置１の製造工程では、鍵３を取付けた後、取付けた鍵３の動作確認などをするために、鍵３を複数回、押鍵する押鍵操作が行われる。よって、かかる押鍵操作と合わせてハンマ５を正しく取付けることができるので、鍵盤装置１の製造工程を効率化できる。
【００５７】
また、鍵３を「てこ」に見立て、鍵３の回動中心（鍵支持軸２４の中心）を支点、鍵３が押鍵される部分（図３（ａ）の矢印Ｆ参照）を力点、突起側当接部Ａがハンマ側当接部Ｂを押圧する部分を作用点とした「てこの原理」を利用しているので、小さな力でハンマ５を仮止め状態から保持状態に移行させることができる。従って、保持孔５０ａにハンマ支持軸２３を保持させるのに、専用の治具を使用せず、鍵３を押鍵するという簡単な操作でハンマ５を正しく取付けることができる。
【００５８】
また、突起側当接部Ａは、突起３６に形成されている。上述した通り、突起３６は、ハンマ５が保持状態にある場合、鍵３に連動してハンマ５を回動させる機能を有している。即ち、突起側当接部Ａは、かかる機能を有する突起３６に形成されているので、突起３６に対し、鍵３に連動してハンマ５を回動させる機能と、仮止め状態にあるハンマ５を保持状態に移行させる機能とを兼用させることができる。よって、部材を共通化でき、鍵盤装置１のコストを低減できる。
【００５９】
また、突起の先端３６ａは、図３（ｂ）に示す通り、仮止め状態にあるハンマ５（凹部５２の底面５２ａ）から離間しているので、ハンマ５が仮止め状態にある場合に鍵３が押鍵されても、ハンマ５は突起３６の先端３６ａによって押圧されない。従って、突起３６の先端３６ａとは無関係に、仮止め状態にあるハンマ５を円滑に保持状態に移行させることができる。
【００６０】
また、突起側当接部Ａと、ハンマ側当接部Ｂとは、共に斜め下前方に傾斜して形成されているので、両者が当接する区間に亘ってハンマ５を押圧できる。よって、例えば、突起側当接部Ａと、ハンマ側当接部Ｂとの一方が他方に向けて尖形状に形成され、その先端でハンマ５を局所的に押圧することで、仮止めされているハンマ支持軸２３が支点となって、ハンマ５が回動してしまうのを抑制できる。従って、より確実に、ハンマ５を後方に押圧して、ガイド溝５１ｃに仮止めされたハンマ支持軸２３を保持孔５０ａに押し込むことができる。
【００６１】
更に、鍵盤装置１を搭載した電子楽器が、図３に示す状態になるのは、製造工程の途中に作業者によって意図的にされる場合に限られない。例えば、ハンマ５が保持状態にセットされている電子楽器を、ユーザが誤って落下させた場合、その衝撃によって電子楽器が図３に示す状態になる可能性がある。
【００６２】
この場合、ハンマ５を取付け直す必要があり、従来は、ハンマ５を取付けるのに専用の治具を使用していたので、専用の治具を持たないユーザは、メーカ等に修理を依頼する必要がある。しかし、本願の鍵盤装置１を搭載した電子楽器によれば、鍵３を押鍵するという簡単な操作で、再度、ハンマ５を正しく取付け直すことができる。よって、わざわざ、メーカ等に修理を依頼する必要がなく、便利である。
【００６３】
図４（ａ）は、第２実施形態の鍵盤装置１００の断面図であって、特に、ハンマ５が保持状態にある場合を示している。図４（ｂ）は、図４（ａ）に示す鍵盤装置１００が押鍵された状態を示す断面図である。尚、第１実施形態の鍵盤装置１と同一の構成については、同一の符号を付し、その説明は省略する。
【００６４】
第２実施形態の鍵盤装置１００は、ハンマ５が仮止め状態にある場合に互いに当接する部分を、立壁２６（シャーシ底壁２２ｃの一部）と、ハンマ５とに形成しておくことで、仮止め状態にあるハンマ５を押鍵操作によって保持状態に移行させものである。
【００６５】
そのため、鍵盤装置１００は、シャーシ底壁２２ｃの後方から上方に立設される立壁２６が、第１実施形態の立壁２６よりも上方に延設されている点で第１実施形態と異なる。即ち、鍵盤装置１００は、立壁２６の上端後方に立壁側当接部Ｃを形成し、その立壁側当接部Ｃを、ハンマ５の側面５４（ハンマ５の前方において斜め下後方に下降傾斜して形成される面）に当接させることで、仮止め状態にあるハンマ５を押鍵操作によって保持状態に移行させものである。
【００６６】
但し、立壁側当接部Ｃと、ハンマ５の側面５４とは、ハンマ５が保持状態にある場合、鍵３が押鍵（図４（ｂ）参照）、離鍵（図４（ａ）参照）されても、互いに離間している位置に形成される。よって、ハンマ５が保持状態にある場合、立壁側当接部Ｃとハンマの側面５４とは互いに干渉せず、鍵盤装置１００は、保持状態にあるハンマ５を鍵３と連動して円滑に回動させることができる。
【００６７】
尚、鍵盤装置１００は、ハンマ５の凹部５２が第１実施形態の凹部５２よりも後方に延設されている点で異なる。鍵盤装置１００は、第１実施形態のように、ハンマ５が仮止め状態にある場合に、突起側当接部Ａとハンマ側当接部Ｂとを当接させる必要がないからである。
【００６８】
図５（ａ）は、鍵盤装置１００の断面図であり、特に、ハンマ５が仮止め状態にある場合を示している。図５（ｂ）は、図５（ａ）の要部拡大断面図である。尚、図５では、仮止め状態にあるハンマ５（実線参照）に対し、押鍵された鍵３と、その押鍵操作によって仮止め状態から保持状態に移行したハンマ５とを２点鎖線で示している。
【００６９】
ハンマ５が仮止め状態にある場合とは、ハンマ支持軸２３がガイド溝５１ｃに仮止めされている状態をいう。第２実施形態の鍵盤装置１００は、第１実施形態の鍵盤装置１と同様に、ハンマ５を仮止め状態にしても、第１実施形態の場合よりもガイド溝５１ｃが若干、斜め上前方に向けられる。
【００７０】
第１実施形態の鍵盤装置１は、図３（ｂ）に示す通り、ハンマ５が仮止め状態にある場合、突起側当接部Ａとハンマ側当接部Ｂとが当接しており、ハンマ５が自重によって上方に持ち上げられるのが抑制されている。
【００７１】
一方、第２実施形態の鍵盤装置１００は、ハンマ５が仮止め状態にある場合、突起３６の側面３６ｂと、凹部５２の第２側面５２ｃとは、互いに離間して形成される。即ち、第２実施形態は、図５（ｂ）に示す通り、凹部５２の第２側面５２ｃが、第１実施形態よりも後方に形成されている。換言すれば、凹部５２の底面５２ａは、第１実施形態よりも後方に延びている。
【００７２】
そのため、第２実施形態の鍵盤装置１００は、第１実施形態の場合と同様に、ハンマ５を仮止め状態にしても、突起側当接部Ａとハンマ側当接部Ｂが形成されていても当接することが無いため、ハンマ５の自重によって、第１実施形態の場合よりもガイド溝５１ｃが若干、斜め上前方に向けられる。
【００７３】
そして、その影響で、第１実施形態の場合は、図３（ｂ）に示す通り、突起３６の先端３６ａと凹部５２の底面５２ａとは離間しているが、第２実施形態の鍵盤装置１００ではハンマ５が保持状態にある場合にも、仮止め状態にある場合にも、突起３６の先端３６ａが凹部５２の底面５２ａに当接している。
【００７４】
また、上述した通り、鍵盤装置１００には、立壁２６の立壁側当接部Ｃを、ハンマ５の側面５４に当接させることで、仮止め状態にあるハンマ５を押鍵操作によって保持状態に移行させものである。具体的には、ハンマ５の側面５４には、立壁側当接部Ｃに当接するハンマ側当接部Ｄが形成されている。ハンマ側当接部Ｄは、斜め下後方に傾斜して形成されている。尚、その傾斜角度は、鉛直方向に対して約２７度に形成されている。
【００７５】
そのため、ハンマ５が仮止め状態にある場合に、鍵３の前方が力Ｆで押鍵されると（図５（ａ）の矢印Ｆ参照）、ハンマ５は、突起の先端３６ａによってほぼ下方に力Ｆ２１（図５（ｂ）の矢印Ｆ２１参照）で押圧される。そうすると、ハンマ側当接部Ｄは、立壁側当接部Ｃを斜め下後方に摺動し、立壁側当接部Ｃから斜め上後方に力Ｆ２２（図５（ｂ）の矢印Ｆ２２参照）で押圧される。即ち、ハンマ５は、突起の先端３６ａによって押圧される力Ｆ２１と、立壁側当接部Ｃによって押圧される力Ｆ２２との合力によって押圧される。
【００７６】
ここで、ハンマ側当接部Ｄは、斜め下後方に傾斜して形成されているので、かかる力Ｆ２２の向きを、水平方向後ろ向きの成分である力Ｆ２２ｈ（図５（ｂ）の矢印Ｆ２２ｈ参照）と、鉛直方向下向きの成分である力Ｆ２２ｖ（図５（ｂ）の矢印Ｆ２２ｖ参照）とに変更できる。また、突起の先端３６ａによって押圧される力Ｆ２１は、ハンマ５をほぼ下方に押圧するので、かかる力Ｆ２１は、立壁側当接部Ｃによって押圧される力Ｆ２２の鉛直方向上向きの成分である力Ｆ２２ｖ（図５（ｂ）の矢印Ｆ２２ｖ参照）にほぼ等しい。
【００７７】
よって、突起の先端３６ａによって押圧される力Ｆ２１と、立壁側当接部Ｃによって押圧される力Ｆ２２との合力は、立壁側当接部Ｃによって押圧される力Ｆ２２の水平方向後ろ方向きの成分である力Ｆ２２ｈにほぼ等しい。従って、その力Ｆ２２ｈによって、ハンマ５を後方に押圧できる。
【００７８】
こうして、ハンマ５が後方に押圧され、ハンマ支持軸２３の中心が、ガイド溝５１ｃの最小幅の部分（ガイド溝５１ｃの前方端部）よりも前方の位置まで押圧されると、それまでハンマ支持軸２３を仮止めしていた軸受５１（ガイド溝５１ｃ）の圧力が減少するので、ハンマ５は後方に跳ね飛ばされ（ハンマ側当接部Ｄが立壁側当接部Ｃから離れ）、ハンマ支持軸２３が保持孔５０ａに保持される（嵌め込まれる）。
【００７９】
即ち、立壁側当接部Ｃは、ハンマ支持軸２３の中心が、ガイド溝５１ｃの最小幅の部分（ガイド溝５１ｃの前方端部）よりも前方に位置するまで、ハンマ側当接部Ｄに当接してハンマ５を後方に押圧し、それ以降は、ハンマ側当接部Ｄから離間することになる。尚、突起３６の先端３６ａと凹部５２の底面５２ａとは、ハンマ５が仮止め状態にある場合にも、保持状態にある場合にも互いに当接している。
【００８０】
このように、仮止め状態にあるハンマ５は（図５の実線参照）、突起３６の先端３６ａと、立壁側当接部Ｃとによって保持状態（図５の２点鎖線参照）に移行され、その保持状態にあるハンマ５は、突起３６を介して鍵３と連動して回動されることになる。
【００８１】
その結果、第２実施形態の鍵盤装置１００は、第１実施形態の鍵盤装置１と同様に、保持孔５０ａにハンマ支持軸２３を保持させるのに専用の治具を使用する必要がなく、鍵３を押鍵するという簡単な操作でハンマ５を正しく取付けることができる。
【００８２】
また、鍵３を「てこ」に見立て、鍵３の回動中心（鍵支持軸２４の中心）を支点、鍵３の押鍵される部分（図５（ａ）の矢印Ｆ参照）を力点、突起３６の先端３６ａおよび立壁側当接部Ｃがハンマ５を押圧する部分を作用点とした「てこの原理」を利用しているので、小さな力でハンマ５を仮止め状態から保持状態に移行させることができる。従って、保持孔５０ａにハンマ支持軸２３を保持させるのに専用の治具を使用する必要がなく、鍵３を押鍵するという簡単な操作でハンマ５を正しく取付けることができる。
【００８３】
また、上述した通り、突起３６の先端３６ａは、ハンマ５が保持状態にある場合にも、鍵３に連動してハンマ５を回動させる機能を有している。即ち、突起３６は、かかる機能に加え、仮止め状態にあるハンマ５を保持状態に移行させる機能をも有している。よって、部材を共通化でき、鍵盤装置１００のコストを低減できる。
【００８４】
また、立壁側当接部Ｃは、シャーシ底壁２２ｃの一部である立壁２６に形成され、その立壁２６は、幅方向に隣合うシャーシ本体２０に橋架されている。つまり、立壁２６は、シャーシ本体２０を補強する機能に加え、仮止め状態にあるハンマを保持状態にさせる機能を有している。よって、立壁２６に２つの機能を兼用させることができ、部材の共通化によって、鍵盤装置１００の製造コストを低減できる。
【００８５】
更に、立壁側当接部Ｃは、立壁２６の上端後方に形成されるのに対し、その立壁側当接部Ｃが当接するハンマ当接部Ｄは、斜め下後方に傾斜して形成されている。よって、立壁側当接部Ｃとハンマ当接部Ｄとの間の摺動抵抗が小さく、ハンマ側当接部Ｄは、立壁側当接部Ｃを円滑に摺動でき、押鍵された力を、仮止め状態にあるハンマを保持状態にさせるのに効率的に利用できる。
【００８６】
以上、実施形態に基づいて本発明を説明したが、本発明は、上記実施形態に何ら限定されるものではなく、本発明の趣旨を逸脱しない範囲内で種々の改良変形が可能であることは容易に推察できるものである。
【００８７】
上述した第１実施形態では、突起３６をハンマ支持軸２３よりも前に設ける場合について説明したが、突起３６を設ける位置は、かかる位置に限定されない。例えば、突起３６は、ハンマ５が保持状態にある場合に、鍵３に連動してハンマ５を回動させるものとして残したままとする。そして、その突起３６とは別の突起を、鍵３から突設させ、その別の突起に突起側当接部Ａに相当する突起側当接部ａを形成し、ハンマ５には、ハンマ側当接部Ｂに相当するハンマ側当接部ｂ（突起側当接部ａに当接する部分）を形成しても良い。
【００８８】
上述した第１実施形態では、突起側当接部Ａと、ハンマ側当接部Ｂとを、共に斜め下前方に傾斜させて形成する場合について説明したが、これに限定されない。例えば、何れか一方の一部を他方に向けて尖形状に形成しても良い。かかる場合には、突起側当接部Ａとハンマ当接部Ｂとの間の摺動抵抗を小さくでき、他方は一方を円滑に摺動し、押鍵された力を、仮止め状態にあるハンマを保持状態にさせるのに効率的に利用できる。
【００８９】
上述した第１実施形態では、突起側当接部Ａと、ハンマ側当接部Ｂとの傾斜角度を、鉛直方向に対して約２２度に形成する場合について説明したが、かかる傾斜角度には限定されない。但し、かかる傾斜角度は、鉛直方向に対して４５度以下が好ましい。図３（ｂ）に示すように、４５度以下であれば、力Ｆ１の水平方向成分である力Ｆ１ｈ（図３（ｂ）の矢印Ｆ１ｈ参照）が、鉛直方向成分である力Ｆ１ｖ（図３（ｂ）の矢印Ｆ１ｈ参照）よりも大きく、ハンマ５を後方に押圧し易いからである。更に、かかる傾斜角度は、力Ｆ１（図３（ｂ）の矢印Ｆ１参照）の向きが、ガイド溝５１ｃが延びる向きとほぼ一致する角度にすることが好ましい。かかる場合には、押鍵された力を、仮止め状態にあるハンマを保持状態にさせるのに効率的に利用できるからである。
【００９０】
同様に、上述した第２実施形態では、立壁側当接部Ｃと、ハンマ側当接部Ｄとの傾斜角度を、鉛直方向に対して約２７度に形成する場合について説明したが、かかる傾斜角度には限定されない。但し、かかる傾斜角度は、鉛直方向に対して４５度以下であることが好ましい。更に、かかる傾斜角度は、力Ｆ２２（図５（ｂ）の矢印Ｆ２２参照）の向きが、ガイド溝５１ｃが延びる向きとほぼ一致する角度にすることが好ましい。
【００９１】
上述した第２実施形態では、立壁側当接部Ｃを、立壁２６の上端後方に形成し、ハンマ側当接部Ｄを、斜め下後方に傾斜させて形成する場合について説明したが、これに限定されない。例えば、立壁側当接部Ｃに代えて、立壁２６にハンマ側当接部Ｄと当接する部分を斜め下後方に傾斜する傾斜面として形成しても良い。また、かかる傾斜面を形成した場合には、ハンマ側当接部Ｄを、その傾斜面に向けて尖形状に形成しても良い。
【００９２】
上述した第１、第２実施形態では、鍵３から突設した突起３６を介してハンマ５を、鍵３に連動して回動させる場合について説明したが、これに限定されない。かかる突起３６に代えて、ハンマ５から鍵３に突起を突設し、その突起によってハンマ５を、鍵３に連動して回動させても良い。
【符号の説明】
【００９３】
１，１００    鍵盤装置（電子楽器の鍵盤装置）
２            シャーシ
３            鍵
２６          立壁（ガイド部材、移行手段）
３６          突起（移行手段）
３６ａ        突起の先端（突起の第２当接部、突起の第３当接部、移行手段）
５１ａ        保持孔
５１ｃ        ガイド溝
Ａ            突起側当接部（突起の第１当接部、移行手段）
Ｂ            ハンマ側当接部（ハンマの被第１当接部、移行手段）
Ｃ            立壁側当接部（ガイド部材の第４当接部、移行手段）
Ｄ            ハンマ側当接部（ハンマの被第４当接部、移行手段）
ＰＬ          パーティングライン
【図１】
0006523019.tif 000002
【図２】
0006523019.tif 000003
【図３】
0006523019.tif 000004
【図４】
0006523019.tif 000005
【図５】
0006523019.tif 000006